(57)【要約】      （修正有）【課題】宅配便で用いる既製のビジネスレターケースをそのまま利用して、縦横の四辺に襠のある箱体を作って立方体も収納できるレターケースを提供する。【解決手段】蓋片付きレターケース本体１の正面部２と背面部３の左右側縁辺４，５と底縁辺６’と蓋片７に沿って、所定寸法の幅Ｗで折曲げ表示部１０，１１，１２，１３，１４を設け、上記左右側縁辺４，５に沿う折曲げ表示部１０，１１における蓋片７の斜辺縁から基部の折曲げ表示部１３まで切込み線表示１５とし、且つ底縁辺６’から折曲げ表示部１２まで切込み線表示１６を設けて箱形に組み立てて構成する。【選択図】図１０
0003146727.tif 000002
【実用新案登録請求の範囲】
【請求項１】
蓋片付きレターケース本体(1)の正面部(2)と背面部(3)の左右側縁辺(4)・(5)と、底縁辺(6′)と蓋片(7)に沿って所定寸法の幅(W)で折曲げ表示部(10)・(11)・(12)・(13・14)を設け、上記左右側縁辺(4)・(5)に沿う折曲げ表示部(10)・(11)における蓋片(7)の上端部から基部の折曲げ表示部(13)まで切込み線表示(15)とし、且つ底縁辺(6′)から所定寸法の幅(W)で横罫の折曲げ表示部(12)まで切込み線表示(16)としたことを特徴とする箱形に組み立てられる宅配用レターケース。
【請求項２】
レターケース本体(1)が横長矩形を成し、Ａ４判サイズ以下のペーパーが収納できる大きさに設定した請求項１記載の箱形に組み立てられる宅配用レターケース。
【考案の詳細な説明】
【技術分野】
【０００１】
本考案は、箱形に組み立てられる宅配用レターケースに関するもので、宅配便で用いる厚手の紙で偏平に作った既製のビジネスレターケースをそのまま利用して、縦横の四辺に襠（マチ）のある箱体を作って立体物も収納できるようにしたものである。
【背景技術】
【０００２】
一般に、この種の宅配用のビジネスレターケースは、各宅配業者が独自の自社デザインやキャラクターを施して宅配依頼人ないし依頼会社に提供しているが、形状やサイズは殆ど同じであり、横長の矩形でＡ４判サイズのペーパーが収納できる大きさのものが知られている。そして、その材質は、丈夫であることは必須であるが、比較的安価で大量に用いるものである関係上、ボール紙（紙厚0.4〜0.45ｍｍ程度）を主原料としてその外表面になる面をコーティングしてあるのが通常である。
【０００３】
そして、上記のビジネスレターケースは側面に襠がなく、専らＡ４判ペーパーを楽に収納するためのものであるから、被収納物の厚さが最大でも20.0ｍｍ程度が限度である。一方、外形サイズはＡ４判より小さくて厚さが20.0ｍｍ以上で35.0ｍｍ程度の場合、既製のレターケースには収納できない。無理に入れようとするとケースが変形したり、破損したりする恐れがある。
【０００４】
ところで、Ａ４判サイズの書類を多量に収納したり、当該サイズ程度のパンフレットや書籍類を収納するために封筒の側面に襠を形成したものは従前から知られている。
【特許文献１】特開平  ８−  ８０９４９号公開公報の「図３」
【特許文献２】特開２０００−２３８７９２号公開公報の「図１」
【考案の開示】
【考案が解決しようとする課題】
【０００５】
上記特許文献１及び２のような封筒は、薄手（紙厚0.1〜0.15ｍｍ程度）の紙材でも容易には破れないような丈夫な紙材を用い、あらかじめ設定幅の襠が形成されていて、且つ開口部の垂れ蓋または蓋片と封筒本体の対応位置に比較的硬質の紙製若しくは合成樹脂製の円板を軸止めし、これに開閉紐を掛け回して閉蓋する構成である。
【０００６】
そのため、設定幅の厚さの収容物の場合は適合するが、それより薄手の場合は、その襠の幅分が残ってしまい無駄であると共に、被収納物が動いてしまうのを防止するために襠の余剰部位を接着テープなどで貼着することが行われる。
また、開閉紐を使って円板の取付け軸に掛け回す構成は、薄手の書類の場合は垂れ蓋または蓋片が必要以上に長く残ってしまい、その分紐の掛け回す回数が多くなってしまい面倒である。さらに、特許文献１及び２のような封筒は、予め厚手の収納物用に作られているため、薄手の収納物には、却って襠が邪魔になって使い勝手が悪いと共に製造コストが高くつき、比較的安価に配送する宅配用のビジネスレターケースには不向きである。
【課題を解決するための手段】
【０００７】
そこで、本考案は既製のビジネスレターケースに独自の折り曲げ表示と切り込み表示を設けることによって、本来のレターケースの使用のほか2.0〜3.5ｃｍ程の分厚い書類その他立体物の包装に使えるようにしたことを目的とする。
【０００８】
本考案の第１は、箱形に組み立てられる宅配用レターケースにおいて、蓋片付きレターケース本体の正面部と背面部の左右側縁辺と、底縁辺と蓋片に沿って所定寸法の幅で折曲げ表示部を設け、上記左右側縁辺に沿う折曲げ表示部における蓋片の上端部から基部の折曲げ表示部まで切込み線表示とし、且つ底縁辺から折曲げ表示部まで切込み線表示を設けたものである。
【０００９】
本考案の第２は、第１の考案に係る箱形に組み立てられる宅配用レターケースにおいて、レターケース本体が横長矩形を成し、Ａ４判サイズ以下のペーパーが収納できる大きさに設定したものである。
【考案の効果】
【００１０】
本考案は上記の構成であるから、通常のＡ４判の書類を収納できることはもち論のこと、外形が４判でありながら、最大で35.0ｍｍ程度の厚さの立体物を収納することができる効果がある。この場合、レターケース本体には、折曲げ表示と切込み線表示を設けてあるので、通常の使用する場合は、当該本体に一切手を加えずに使用し、立体物の収納の場合は、切込み線に沿って切込みを入れ、且つ折曲げ表示部に沿って手を加えることによって、切り屑を一切出さずに立体物を収納する箱体を作成することができる。
【考案を実施するための最良の形態】
【００１１】
本考案に係る箱形に組み立てられる宅配用レターケースにおいて、立体物を収納できるように当該ケースで箱体を成形する最良の形態は次のとおりである。
【００１２】
レターケース本体において、正面部及び背面部の左右両側縁辺に沿って所定寸法の幅で表示した縦罫の折曲げ表示部の延長線上にある蓋片の斜辺縁から基部横罫表示部までの切込み線表示に沿って切り込みを入れる。この場合、レターケース本体の使用前は、蓋片は正面部と一体に平たい状態にあり当該凹筋線から折り曲げられていないのが通常である。
【００１３】
次に、底縁辺から所定幅の寸法で横罫折曲げ表示部まで縦罫の折曲げ表示部（切込み線表示）に沿って切込みを入れる。このとき、余剰片となる底縁辺にも切込みを入れる。
【００１４】
レターケース本体における正背面部の左右両側縁辺を中心にして所定寸法の幅で襠を形成する。同様に底縁辺を中心にして所定寸法の幅で襠を形成して箱体の底辺部を形成する。
【００１５】
上記のレターケース本体における正背面部の底縁辺からの折曲げ横罫表示部まで縦罫の折曲げ表示部に沿って切込み線表示に切り込みを入れると共に、余剰縁辺の底縁辺にも切り込みを入れる。
【００１６】
また、上記の底縁辺の切込み線表示の切り込みによってできた余剰片を開口部（折曲げ横罫表示部の位置に相当する）から折り曲げて箱体内に折り込む。
【００１７】
次に、蓋片側の切込みによってできた余剰片を当該蓋片の基部横罫の折曲げ表示部から箱体内側に折り込む。
【００１８】
レターケース本体１の折曲げ用の凹筋線付きの蓋片をその基部横罫表示部と所定寸法の幅の横罫表示部に沿って山折りに折り曲げて開口部を塞ぐ状態になる。
【００１９】
この状態で立体物を箱体内に収納した後、折曲げ蓋の接着テープの剥離紙を剥がして当該蓋を背面部に貼着する。
【実施例】
【００２０】
以下本考案の実施例を図面に即して説明する。１は既製の厚手の紙製レターケー本体であり、偏平に重なり合う正面部２と背面部３とにより横長矩形でＡ４判サイズのペーパーが収納できるようサイズの形状に構成されている。４・５はレターケース本体１の正面部２及び背面部３の左右側縁辺、６′はレターケース本体１の底辺部６を形成するための底縁辺、７はレターケース本体１の正面部２と一体に上辺に延長してなる基部に折曲げ表示部を設けた蓋片、７nは既設の凹筋線であり通常のビジネスレターとして使う場合に蓋片７の折曲げとして使用するものである。８は蓋片の無い背面部３の上縁辺３1部位に形成される開口部、９は蓋片７の内面に設けた剥離紙付き接着テープである。
【００２１】
１０・１１はレターケース本体１の正面部２及び背面部３の左右側縁辺４・５から所定寸法の幅Ｗをあけて設けた折曲げ表示部、１２はレターケース本体１の正面部２及び背面部３の底縁辺６′に所定寸法の幅Ｗをあけて設けた折曲げ表示部、１３は蓋片７の基辺部(背面部３の上縁辺３′に相当する位置)に設けた横罫の折曲げ表示部、１４はその横罫の折曲げ表示部１３と設所定寸法の幅Ｗ＋Ｗをあけて設けた横罫の折曲げ表示部、１５はレターケース本体１の左右側辺部４・５に所定寸法の幅Ｗをあけて設けた縦罫の折曲げ表示部１０・１１における蓋片斜辺縁７′から横罫表示部１３（蓋無しの背面部３の上縁辺３1に相当）の位置まで達する切込み線表示である。１５′は切込み線表示１５に切込みを入れて生じる余剰片を示す（便宜上点線で表示してある）。１６は同じく上記左右側縁辺部４・５の縦罫の折曲げ表示部１０・１１において、底縁辺６′から設定幅Ｗをあけた横罫の折曲げ表示部１２まで達する切込み線表示である。１６′は切込み線表示１６に切込みを入れて生じる余剰片を示す（便宜上点線で表示してある）。
【００２２】
図５において、１７はレターケース本体１の正面部２の左右両側辺に形成した糊付け片部である。また、７nは通常使用するビジネスレターケースの蓋片７における折曲げ用の既設の凹筋線である。図中４・５・６′はビジネスレターケース本体１を成形するための折曲げ表示部である。なお、上記の各所定寸法の幅Ｗは10.0〜25.0ｍｍの間で設定するものとする。また、上記の各折曲げ表示部１０〜１４は、蓋片折曲げ用の既設の凹筋線７nと同じ凹筋線をつけるか、点線又は実線を表示するかは任意である。なお、切込み表示１５・１６は、前記の凹筋線と区別できる表示、例えば太線表示を設けることを可とする。
【００２３】
「宅配用レターケースを箱形に組み立てる工程例」
次に、本考案に係る箱形に組み立てられる宅配用レターケースにおいて、立体物を収納できるように当該ケースで箱体を成形するには、次の工程例による。
【００２４】
「具体的な箱形の組み立て工程」
図１に示すレターケース本体１において、正背面部２・３の左右両側縁４・５に沿って所定寸法の幅Ｗで表示した縦罫の折曲げ表示部１０・１１に沿って、蓋片７の斜辺縁７′から基部横罫表示部１３(背面部３の上縁辺３1に相当する位置)まで切込み線表示１５に沿って鋏又はカッターナイフ等で切り込みを入れる(図３)。この場合、折曲げ表示部１３のついた蓋片７は正面部２と一体に平たい状態にあり、折り曲げられていないのが通常である。
【００２５】
次に、レターケース本体１の底縁辺６′から上記の折曲げ表示部１０・１１と同一線上に沿って所定寸法の幅Ｗを有する横罫表示部１２までの切込み線表示１６に切り込みを入れる。この切込みによって余剰片１６′となる底縁辺６″にも切り込みを入れる(図３。図５を参照)。
【００２６】
レターケース本体１における正背面部２・３の左右両側縁辺４・５を中心にして所定寸法の幅Ｗ＋Ｗで襠を形成する。同様に底縁辺６′を中心にして設定幅Ｗ＋Ｗの襠を形成して箱体となる底辺部６を形成する(図６及び図７)。
【００２７】
上記段落「００２４」の切込み線表示１５の切り込みによってできた余剰片１５′を横罫表示部１３から折り曲げて箱体内に折り込む(図８及び図９)。
【００２８】
次に、底縁辺６′における切込みによってできた余剰片１６′を横罫表示部１２から折ると共に切込み線１６から箱体内に挿入する(図８及び図９)。
【００２９】
レターケース本体１の折曲げ表示付きの蓋片７をその基部横罫表示部１３と所定寸法の幅Ｗ＋Ｗの横罫表示部１４に沿って山折りに折り曲げて開口部８を塞ぐ状態になる。
【００３０】
この状態で立体物を箱体内に収納した後、蓋片７の接着テープ９の剥離紙を剥がして当該片をレターケース本体１の背面部３に貼着する(図８及び図９)。
【図面の簡単な説明】
【００３１】
【図１】本考案に係る立方体被包装物収納兼用の紙製ビジネスレターケースの正面図である。
【図２】図１の背面図である。
【図３】図１のレターケースを箱形に成形するための切り込みを入れた状態を示す正面図である。
【図４】図１の４−４線に沿う断面図である。
【図５】図１の展開内面図である。
【図６】箱形に成形した開蓋状態の背面図である。
【図７】図６の７−７線に沿う断面図である。
【図８】図６・７の箱形に蓋片を折り曲げて蓋をした状態の背面図である。
【図９】図８の９−９線に沿う断面図である。
【図１０】図８及び図９の斜視図である。
【符号の説明】
【００３２】
１……宅配用レターケース本体
２……正面部
３……背面部
４……左側縁辺
５……右側縁辺
６……底辺部
６′……底縁辺
７……基部に折曲げ表示部を設けた蓋片
８……開口部
９……接着テープ
１０……縦罫の折曲げ表示部
１１……縦罫の折曲げ表示部
１２……横罫の折曲げ表示部
１３……横罫の折曲げ表示部
１４……横罫の折曲げ表示部
１５……切込み線表示
１５′……余剰片
１６……切込み線表示
１６′……余剰片
【図１】
0003146727.tif 000003
【図２】
0003146727.tif 000004
【図３】
0003146727.tif 000005
【図４】
0003146727.tif 000006
【図５】
0003146727.tif 000007
【図６】
0003146727.tif 000008
【図７】
0003146727.tif 000009
【図８】
0003146727.tif 000010
【図９】
0003146727.tif 000011
【図１０】
0003146727.tif 000012
【手続補正書】
【提出日】平成20年9月17日(2008.9.17)
【手続補正１】
【補正対象書類名】図面
【補正対象項目名】図８
【補正方法】変更
【補正の内容】
【図８】
0003146727.tif 000013